(57)【要約】　　　（修正有）【課題】依頼内容の確認が容易で、抵抗なく見積り作成が可能であり、コストの低減化が可能な総計価格見積システムおよび総計価格見積方法を提供する。【解決手段】商品情報記憶手段１１に記憶された商品見出し情報および住宅間取り情報記憶手段１２に記憶された住宅見出し情報を見積依頼者へ送信する。見積依頼者が選択した個別見出し情報を商品情報記憶手段１１から読み出して送信する。見積依頼者が選択した住宅関連商品情報を商品情報記憶手段１１から読み出して送信する。見積依頼者が選択した住宅間取り情報を住宅間取り情報記憶手段１２から読み出して送信する。見積依頼者が選択した住宅見出し項目に対応する住宅基本価格を住宅間取り情報記憶手段１２から読み出し、これに、住宅関連商品情報に基づいて選択した住宅関連商品に対応する商品価格を商品情報記憶手段１１から読み出して加算する。加算した計算結果を見積価格として見積依頼者に送信する。【選択図】　　　　図２
2004021739.tif 000002
【特許請求の範囲】
【請求項１】
コンピュータシステムにより総計価格の見積を行なうための総計価格見積システムであって、
複数の個別商品の商品価格と、各個別商品の写真、内容および価格を選択ボタンとともに表示させる個別商品情報と、各個別商品に対応して選択可能な個別見出し項目を表示させる個別見出し情報と、前記個別商品を分類した複数の選択可能な商品見出し項目を表示させる商品見出し情報とを前記個別商品に基づいて関連付けて記憶した商品情報記憶手段と、
複数の基本価格と、基本内容および基本価格を表示させる基本内容情報と、各基本内容に対応して選択可能な基本内容見出し項目を表示させる基本内容見出し情報とを関連付けて記憶した基本内容情報記憶手段と、
見積依頼者からの要求に応じて前記商品情報記憶手段に記憶された商品見出し情報および前記基本内容情報記憶手段に記憶された基本内容見出し情報を送信する初期情報送信手段と、
前記初期情報送信手段で送信される商品見出し情報に基づいて前記見積依頼者が選択した商品見出し項目の選択情報を取得する見出し選択情報取得手段と、
前記見出し選択情報取得手段で取得した選択情報に対応する個別見出し情報を前記商品情報記憶手段から読み出して前記見積依頼者に送信する個別見出し情報送信手段と、
前記個別見出し情報送信手段で送信される個別見出し情報に基づいて前記見積依頼者が選択した個別見出し項目の選択情報を取得する個別選択情報取得手段と、
前記個別選択情報取得手段で取得した選択情報に対応する個別商品情報を前記商品情報記憶手段から読み出して前記見積依頼者に送信する個別商品情報送信手段と、
前記個別商品情報送信手段で送信される個別商品情報に基づいて前記見積依頼者が選択ボタンで選択した個別商品の選択情報を取得する商品選択情報取得手段と、
前記初期情報送信手段で送信される基本内容見出し情報に基づいて前記見積依頼者が選択した基本内容見出し項目の選択情報を取得する基本内容見出し選択情報取得手段と、
前記基本内容見出し選択情報取得手段で取得した選択情報に対応する基本内容情報を前記基本内容情報記憶手段から読み出して前記見積依頼者に送信する間取り情報送信手段と、
前記基本内容見出し選択情報取得手段で取得した選択情報に対応する基本価格を前記基本内容情報記憶手段から読み出し、読み出した基本価格に前記商品選択情報取得手段で取得した選択情報に対応する商品価格を前記商品情報記憶手段から読み出して加算する加算手段と、
前記加算手段による計算結果を見積価格として前記見積依頼者に送信する見積情報送信手段とを、
有することを特徴とする総計価格見積システム。
【請求項２】
前記個別商品は住宅関連商品から成り、前記基本価格は住宅の基本価格から成り、前記基本内容は住宅の間取り図から成ることを、特徴とする請求項１記載の総計価格見積システム。
【請求項３】
コンピュータシステムにより総計価格の見積を行なうための総計価格見積方法であって、
複数の個別商品の商品価格と、各個別商品の写真、内容および価格を選択ボタンとともに表示させる個別商品情報と、各個別商品に対応して選択可能な個別見出し項目を表示させる個別見出し情報と、前記個別商品を分類した複数の選択可能な商品見出し項目を表示させる商品見出し情報とを前記個別商品に基づいて関連付けて記憶した商品情報記憶手段と、
複数の基本価格と、基本内容および基本価格を表示させる基本内容情報と、各基本内容に対応して選択可能な基本内容見出し項目を表示させる基本内容見出し情報とを関連付けて記憶した基本内容情報記憶手段とを有し、
見積依頼者からの要求に応じて前記商品情報記憶手段に記憶された商品見出し情報および前記基本内容情報記憶手段に記憶された基本内容見出し情報を送信するステップと、
前記商品見出し情報に基づいて前記見積依頼者が選択した商品見出し項目に対応する個別見出し情報を前記商品情報記憶手段から読み出して前記見積依頼者に送信するステップと、
前記個別見出し情報に基づいて前記見積依頼者が選択した個別見出し項目に対応する個別商品情報を前記商品情報記憶手段から読み出して前記見積依頼者に送信するステップと、
前記基本内容見出し情報に基づいて前記見積依頼者が選択した基本内容見出し項目に対応する基本内容情報を前記基本内容情報記憶手段から読み出して前記見積依頼者に送信するステップと、
前記基本内容見出し情報に基づいて前記見積依頼者が選択した基本内容見出し項目に対応する基本価格を前記基本内容情報記憶手段から読み出し、読み出した基本価格に、前記個別商品情報に基づいて前記見積依頼者が選択ボタンで選択した個別商品に対応する商品価格を前記商品情報記憶手段から読み出して加算するステップと、
加算した計算結果を見積価格として前記見積依頼者に送信するステップとを、
有することを特徴とする総計価格見積方法。
【発明の詳細な説明】
【０００１】
【発明の属する技術分野】
本発明は、コンピュータシステムにより総計価格の見積を行なうための総計価格見積システムおよび総計価格見積方法に関する。
【０００２】
【従来の技術】
住宅の価格は、工務店とお客との話し合いで決定されるが、見積書にはキッチン設備、家具、洗面設備などの決定した内容が文字のみで表示されるため、依頼内容を確認しにくいという課題がある。また、住宅の価格について工務店に見積りを頼んだ場合、依頼を断りにくいという課題がある。さらに、お客が工務店やメーカーに設計、工事を依頼した場合、直接の工事業者のほかに、元請業者と現場管理を行なう下請業者に中間マージンを支払うことになるため、建築費が嵩むという課題がある。
【０００３】
【発明が解決しようとする課題】
本発明は、このような従来の課題に着目してなされたもので、依頼内容の確認が容易で、抵抗なく見積り作成が可能であり、コストの低減化が可能な総計価格見積システムおよび総計価格見積方法を提供することを目的とする。
【０００４】
【課題を解決するための手段】
上記目標を達成するために、本発明に係る総計価格見積システムは、コンピュータシステムにより総計価格の見積を行なうための総計価格見積システムであって、
複数の個別商品の商品価格と、各個別商品の写真、内容および価格を選択ボタンとともに表示させる個別商品情報と、各個別商品に対応して選択可能な個別見出し項目を表示させる個別見出し情報と、前記個別商品を分類した複数の選択可能な商品見出し項目を表示させる商品見出し情報とを前記個別商品に基づいて関連付けて記憶した商品情報記憶手段と、
複数の基本価格と、基本内容および基本価格を表示させる基本内容情報と、各基本内容に対応して選択可能な基本内容見出し項目を表示させる基本内容見出し情報とを関連付けて記憶した基本内容情報記憶手段と、
見積依頼者からの要求に応じて前記商品情報記憶手段に記憶された商品見出し情報および前記基本内容情報記憶手段に記憶された基本内容見出し情報を送信する初期情報送信手段と、
前記初期情報送信手段で送信される商品見出し情報に基づいて前記見積依頼者が選択した商品見出し項目の選択情報を取得する見出し選択情報取得手段と、
前記見出し選択情報取得手段で取得した選択情報に対応する個別見出し情報を前記商品情報記憶手段から読み出して前記見積依頼者に送信する個別見出し情報送信手段と、
前記個別見出し情報送信手段で送信される個別見出し情報に基づいて前記見積依頼者が選択した個別見出し項目の選択情報を取得する個別選択情報取得手段と、
前記個別選択情報取得手段で取得した選択情報に対応する個別商品情報を前記商品情報記憶手段から読み出して前記見積依頼者に送信する個別商品情報送信手段と、
前記個別商品情報送信手段で送信される個別商品情報に基づいて前記見積依頼者が選択ボタンで選択した個別商品の選択情報を取得する商品選択情報取得手段と、
前記初期情報送信手段で送信される基本内容見出し情報に基づいて前記見積依頼者が選択した基本内容見出し項目の選択情報を取得する基本内容見出し選択情報取得手段と、
前記基本内容見出し選択情報取得手段で取得した選択情報に対応する基本内容情報を前記基本内容情報記憶手段から読み出して前記見積依頼者に送信する間取り情報送信手段と、
前記基本内容見出し選択情報取得手段で取得した選択情報に対応する基本価格を前記基本内容情報記憶手段から読み出し、読み出した基本価格に前記商品選択情報取得手段で取得した選択情報に対応する商品価格を前記商品情報記憶手段から読み出して加算する加算手段と、
前記加算手段による計算結果を見積価格として前記見積依頼者に送信する見積情報送信手段とを、
有することを特徴とする。
【０００５】
本発明に係る総計価格見積方法は、コンピュータシステムにより総計価格の見積を行なうための総計価格見積方法であって、
複数の個別商品の商品価格と、各個別商品の写真、内容および価格を選択ボタンとともに表示させる個別商品情報と、各個別商品に対応して選択可能な個別見出し項目を表示させる個別見出し情報と、前記個別商品を分類した複数の選択可能な商品見出し項目を表示させる商品見出し情報とを前記個別商品に基づいて関連付けて記憶した商品情報記憶手段と、
複数の基本価格と、基本内容および基本価格を表示させる基本内容情報と、各基本内容に対応して選択可能な基本内容見出し項目を表示させる基本内容見出し情報とを関連付けて記憶した基本内容情報記憶手段とを有し、
見積依頼者からの要求に応じて前記商品情報記憶手段に記憶された商品見出し情報および前記基本内容情報記憶手段に記憶された基本内容見出し情報を送信するステップ１と、
前記商品見出し情報に基づいて前記見積依頼者が選択した商品見出し項目に対応する個別見出し情報を前記商品情報記憶手段から読み出して前記見積依頼者に送信するステップ２と、
前記個別見出し情報に基づいて前記見積依頼者が選択した個別見出し項目に対応する個別商品情報を前記商品情報記憶手段から読み出して前記見積依頼者に送信するステップ３と、
前記基本内容見出し情報に基づいて前記見積依頼者が選択した基本内容見出し項目に対応する基本内容情報を前記基本内容情報記憶手段から読み出して前記見積依頼者に送信するステップ４と、
前記基本内容見出し情報に基づいて前記見積依頼者が選択した基本内容見出し項目に対応する基本価格を前記基本内容情報記憶手段から読み出し、読み出した基本価格に、前記個別商品情報に基づいて前記見積依頼者が選択ボタンで選択した個別商品に対応する商品価格を前記商品情報記憶手段から読み出して加算するステップ５と、
加算した計算結果を見積価格として前記見積依頼者に送信するステップ６とを、有することを特徴とする。
【０００６】
例えば、前記個別商品は住宅関連商品から成り、前記基本価格は住宅の基本価格から成り、前記基本内容は住宅の間取り図から成る。住宅関連商品は、例えば、キッチン、家具、お風呂、洗面、トイレ、下駄箱、収納、玄関ドアなどの商品である。しかしながら、個別商品は、住宅関連商品以外の商品、例えば、農産物、海産物、衣料品、中古車、スポーツ観戦チケット、出前料理であってもよく、結婚式、宴会場・ホテル・旅館などのサービスや、温泉・土地などの不動産、就職希望者であってもよい。
見積依頼者は、一般のお客のほか、販売店や代理店であってもよい。
本発明に係る総計価格見積システムおよび総計価格見積方法は、インターネットなどのコンピュータネットワークを介して利用されることが好ましい。その場合、見積価格を見積依頼者に送信後、商品の購入、予約、発注もインターネットなどで行なうことが好ましい。
【０００７】
【発明の実施の形態】
以下に、図１乃至図７を参照して、本発明に係る総計価格見積システムおよび総計価格見積方法の実施の形態について、住宅価格見積システムおよび住宅価格見積方法を例にして説明する。
図１に示すように、インターネット１などのコンピュータネットワークに電話回線などを経由してサーバ２および多数の端末コンピュータ３が接続されている。サーバ２および端末コンピュータ３は、それぞれ、ＣＰＵにより構成される制御手段、プログラムを記憶したハードディスクメモリ、各種ファイルを記憶したメモリ、キーボードやマウスなどの入力手段、モニタやプリンタなどの出力手段および通信手段を有している。
【０００８】
図２に示すように、サーバ２には、コンピュータシステムにより住宅価格の見積を行なうための住宅価格見積システムを組み込んである。そのために、サーバ２は、商品情報記憶手段１１と、住宅間取り情報記憶手段１２と、初期情報送信手段１３と、見出し選択情報取得手段１４と、個別見出し情報送信手段１５と、個別選択情報取得手段１６と、住宅商品情報送信手段１７と、商品選択情報取得手段１８と、住宅見出し選択情報取得手段１９と、間取り情報送信手段２０と、加算手段２１と、見積情報送信手段２２とをコンピュータの機能として有している。
【０００９】
商品情報記憶手段１１は、複数の住宅関連商品の商品価格と、各住宅関連商品の写真３１、内容３２および価格３３を選択ボタン３４とともに表示させる住宅関連商品情報と、各住宅関連商品に対応して選択可能な個別見出し項目３５を表示させる個別見出し情報と、住宅関連商品を分類した複数の選択可能な商品見出し項目３６を表示させる商品見出し情報とを住宅関連商品に基づいて関連付けて記憶してある。住宅関連商品は、キッチン、家具、お風呂、洗面、トイレなどの住宅設備の商品である。個別見出し項目３５は、対応する商品に合わせて、「１システムキッチン」、「２　キッチン」などのように表示される。商品見出し項目３６は、「キッチン」、「家具」、「お風呂」、「洗面」などのように表示される。
【００１０】
住宅間取り情報記憶手段１２は、複数の住宅基本価格と、住宅の間取り図３７、外観図３８および価格３９を表示させる住宅間取り情報と、各間取り図３７に対応して選択可能な住宅見出し項目４０を表示させる住宅見出し情報とを関連付けて記憶してある。住宅の間取り図３７は、１階、２階など階ごとに表示される。住宅見出し項目４０は、「西Ａ０７０１００−４０」、「東Ａ０７５１００−４０」のように表示される。
【００１１】
初期情報送信手段１３は、見積依頼者からの要求に応じて商品情報記憶手段１１に記憶された商品見出し情報および住宅間取り情報記憶手段１２に記憶された住宅見出し情報を送信する。見積依頼者からの要求は、見積依頼者のコンピュータでマウスを用いてモニタの表示をクリックすることによりインターネット１を介して行なわれる。
【００１２】
見出し選択情報取得手段１４は、初期情報送信手段１３で送信される商品見出し情報に基づいて見積依頼者が選択した商品見出し項目３６の選択情報を取得する。
個別見出し情報送信手段１５は、見出し選択情報取得手段１４で取得した選択情報に対応する個別見出し情報を商品情報記憶手段１１から読み出して見積依頼者に送信する。
個別選択情報取得手段１６は、個別見出し情報送信手段１５で送信される個別見出し情報に基づいて見積依頼者が選択した個別見出し項目３５の選択情報を取得する。
【００１３】
住宅商品情報送信手段１７は、個別選択情報取得手段１６で取得した選択情報に対応する住宅関連商品情報を商品情報記憶手段１１から読み出して見積依頼者に送信する。
商品選択情報取得手段１８は、住宅商品情報送信手段１７で送信される住宅関連商品情報に基づいて見積依頼者が選択ボタン３４で選択した住宅関連商品の選択情報を取得する。
【００１４】
住宅見出し選択情報取得手段１９は、初期情報送信手段１３で送信される住宅見出し情報に基づいて見積依頼者が選択した住宅見出し項目４０の選択情報を取得する。
間取り情報送信手段２０は、住宅見出し選択情報取得手段１９で取得した選択情報に対応する住宅間取り情報を住宅間取り情報記憶手段１２から読み出して見積依頼者に送信する。
【００１５】
加算手段２１は、住宅見出し選択情報取得手段１９で取得した選択情報に対応する住宅基本価格を住宅間取り情報記憶手段１２から読み出し、読み出した住宅基本価格に商品選択情報取得手段１８で取得した選択情報に対応する商品価格を商品情報記憶手段１１から読み出して加算する。
見積情報送信手段２２は、加算手段２１による計算結果を見積価格として見積依頼者に送信する。
【００１６】
次に、図３を参照して、住宅価格見積システムを用いた住宅価格見積方法の処理手順について説明する。住宅価格見積システムを用いて住宅の価格の見積を行なう場合、見積依頼者は、コンピュータを用いてインターネット１に接続し、サーバ２にアクセスする。サーバ２にアクセスすると、その見積依頼者からの要求に応じてモニタに図４に示す画面が表示される（ステップ１）。画面上で住宅見出し項目４０にカーソルを合わせてマウスをクリックすると、図５に示すように、住宅の間取り図３７、外観図３８および価格３９が表示される。
【００１７】
次に、複数の商品見出し項目３６の中から住宅設備を選択する。住宅設備を選択したとき、図６に示すように個別見出し項目３５が表示される（ステップ２）。個別見出し項目３５を選択すると、具体的な住宅関連商品の写真３１、内容３２および価格３３が表示される（ステップ３）。種々の住宅関連商品の中から好みのものを選択ボタン３４により選択する。その選択により、図７に示すように、選択した間取り図３７と選択した住宅関連商品の写真３１が価格とともに表示され（ステップ４）、住宅の基本価格に選択した各住宅関連商品の価格が加算されて（ステップ５）、見積価格４１として表示される（ステップ６）。こうして、容易に住宅の見積を行なうことができる。
【００１８】
この住宅価格見積システムによれば、工務店と直接話し合うことなく見積を行なうことができるので、抵抗なく見積り作成を行なうことができる。また、見積で決定した間取り、キッチン設備、家具、洗面設備などの内容を画面上で間取り図３７や住宅設備の写真３１により確認することができるので、依頼内容を確認しやすい。さらに、お客と直接の工事業者とを結び付け、元請業者や現場管理を行なう下請業者を省略することにより中間マージンを支払う必要がなくなり、建築費の低減化が可能となる。
【００１９】
【発明の効果】
本発明によれば、依頼内容の確認が容易で、抵抗なく見積り作成が可能であり、コストの低減化が可能な総計価格見積システムおよび総計価格見積方法を提供することができる。
【図面の簡単な説明】
【図１】本発明の実施の形態の全体構成を示すブロック図である。
【図２】本発明の実施の形態の住宅価格見積システムの構成を示すブロック図である。
【図３】図２に示す住宅価格見積システムの動作を示すフローチャートである。
【図４】図２に示す住宅価格見積システムによる画面の構成の説明図である。
【図５】図２に示す住宅価格見積システムによる他の画面の構成の説明図である。
【図６】図２に示す住宅価格見積システムによる他の画面の構成の説明図である。
【図７】図２に示す住宅価格見積システムによる他の画面の構成の説明図である。
【符号の説明】
１　インターネット
２　サーバ
３　端末コンピュータ
１１　商品情報記憶手段
１２　住宅間取り情報記憶手段
１３　初期情報送信手段
１４　見出し選択情報取得手段
１５　個別見出し情報送信手段
１６　個別選択情報取得手段
１７　住宅商品情報送信手段
１８　商品選択情報取得手段
１９　住宅見出し選択情報取得手段
２０　間取り情報送信手段
２１　加算手段
２２　見積情報送信手段
【図１】
2004021739.tif 000003
【図２】
2004021739.tif 000004
【図３】
2004021739.tif 000005
【図４】
2004021739.tif 000006
【図５】
2004021739.tif 000007
【図６】
2004021739.tif 000008
【図７】
2004021739.tif 000009